(57)【要約】【課題】再送信すべきテレビ放送信号が停波した際、周囲ノイズの影響を受けることなく、テレビ放送信号を増幅する増幅装置の動作を停止させることのできるテレビ放送再送信システムを提供する。【解決手段】ヘッドエンドから送信装置１０には、再送信用のテレビ放送信号とその波数を表す信号（ＦＳＫ変調）が出力され、送信装置１０では、ＦＳＫ復調回路５４が、その信号から波数を検知して、制御回路５０に出力する。そして、制御回路５０は、波数に基づき、再送信信号の送信電力を制御し、波数が「０」である場合には、電源遮断回路６４を介して増幅回路４２、４６の増幅動作を停止させる。【選択図】図３
2014165871.tif 000002
【特許請求の範囲】
【請求項１】
テレビ放送電波を受信する受信アンテナからの受信信号を、テレビ放送のチャンネル毎に信号処理し、該信号処理後の各チャンネルのテレビ放送信号を混合して、伝送線に出力する放送信号処理装置と、
前記放送信号処理装置から前記伝送線を介して伝送されてきたテレビ放送信号を、前記テレビ放送電波が届かない難視聴地域に向けて、送信アンテナから再送信させる送信装置と、
を備え、
前記放送信号処理装置は、
前記信号処理して前記伝送線に出力する前記テレビ放送信号のチャンネル数を表す波数信号を生成し、該波数信号を、前記信号処理後の各チャンネルのテレビ放送信号と共に前記伝送線に出力させる波数信号生成手段を備え、
前記送信装置は、
前記放送信号処理装置から前記伝送線を介して伝送されてきたテレビ放送信号を所定レベルまで増幅し、前記送信アンテナに出力する増幅手段と、
前記放送信号処理装置から前記伝送線を介して伝送されてきた前記波数信号から、前記放送信号処理装置が出力したテレビ放送信号のチャンネル数を検出する検出手段と、
前記検出手段にて検出されたテレビ放送信号のチャンネル数が零であるとき、前記増幅手段の増幅動作を停止させる増幅動作停止手段と、
を備えたことを特徴とするテレビ放送再送信システム。
【発明の詳細な説明】
【技術分野】
【０００１】
本発明は、テレビ放送電波を受信し、その受信信号を、テレビ放送電波が届かない難視聴地域に設置された送信アンテナまで伝送して再送信させるテレビ放送再送信システムに関する。
【背景技術】
【０００２】
放送局からのテレビ放送信号が届かない難視聴地域でテレビ放送信号を配信するシステムとして、放送局からのテレビ放送電波を受信可能な場所に受信アンテナを設置し、その受信アンテナからの受信信号を増幅器で増幅しつつ、難視聴地域内に配線された伝送線（同軸ケーブル等）を介して、難視聴地域内の各部に設置された送信アンテナまで伝送することで、送信アンテナからテレビ放送信号を再送信させるテレビ放送再送信システムが知られている（例えば、特許文献１等、参照）。
【０００３】
この種のテレビ放送再送信システムでは、通常、受信アンテナが設置された受信点には、受信したテレビ放送信号を放送チャンネル毎に信号処理して、その信号レベルを適正レベルに設定し、そのレベル設定後のテレビ放送信号を混合して、伝送線に出力する信号処理装置が設けられる。
【０００４】
また、送信アンテナが設定された送信点には、伝送線を介して伝送されてきたテレビ放送信号を所定レベルまで増幅し、送信アンテナから再送信させる送信装置が設けられる。
そして、この送信装置において、テレビ放送信号を増幅する増幅装置には、再送信するテレビ放送電波の信号レベルが適正レベルとなるよう利得を自動調整する自動利得調整回路（以下、ＡＧＣ回路という）が設けられる。
【０００５】
また、放送機器のメンテナンス等のために再送信すべきテレビ放送信号が停波した際に、増幅装置にてノイズ成分が増幅されて、送信アンテナから送信されることのないよう、増幅装置には、テレビ放送信号の停波を検出して、自動利得調整に用いられる可変減衰器の減衰量を最大にすることで、テレビ放送信号の増幅動作を停止させる、スケルチ回路も設けられる。
【特許文献１】特開２００４−４８１４１号公報
【発明の開示】
【発明が解決しようとする課題】
【０００６】
上記スケルチ回路は、入力信号の信号レベルが所定値以下であるときに、増幅対象となる信号がないとして、増幅装置による増幅動作を停止させるものであり、例えば、上記特許文献１では、受信点の信号処理装置を、受信アンテナからの受信信号が所定値を超えているとき、パイロット信号を伝送線上に出力するよう構成し、送信点の増幅装置には、パイロット信号を受信できないときに、増幅装置による増幅動作を停止させるスケルチ回路を設けるようにしている。
【０００７】
このため、スケルチ回路の設定点付近にノイズ発生源があり、スケルチ回路が検出するパイロット信号等の信号レベルが、周囲のノイズによって高くなると、スケルチ回路が動作せず、周囲のノイズが増幅装置にて所定レベルまで増幅されて、送信アンテナから周囲に放射されるという問題が発生する。
【０００８】
本発明は、こうした問題に鑑みなされたものであり、再送信すべきテレビ放送信号が停波した際、周囲ノイズの影響を受けることなく、テレビ放送信号を増幅する増幅装置の動作を停止させることのできるテレビ放送再送信システムを提供することを目的とする。
【課題を解決するための手段】
【０００９】
かかる目的を達成するためになされた本発明のテレビ放送再送信システムは、
テレビ放送電波を受信する受信アンテナからの受信信号を、テレビ放送のチャンネル毎に信号処理し、該信号処理後の各チャンネルのテレビ放送信号を混合して、伝送線に出力する放送信号処理装置と、
前記放送信号処理装置から前記伝送線を介して伝送されてきたテレビ放送信号を、前記テレビ放送電波が届かない難視聴地域に向けて、送信アンテナから再送信させる送信装置と、
を備え、
前記放送信号処理装置は、
前記信号処理して前記伝送線に出力する前記テレビ放送信号のチャンネル数を表す波数信号を生成し、該波数信号を、前記信号処理後の各チャンネルのテレビ放送信号と共に前記伝送線に出力させる波数信号生成手段を備え、
前記送信装置は、
前記放送信号処理装置から前記伝送線を介して伝送されてきたテレビ放送信号を所定レベルまで増幅し、前記送信アンテナに出力する増幅手段と、
前記放送信号処理装置から前記伝送線を介して伝送されてきた前記波数信号から、前記放送信号処理装置が出力したテレビ放送信号のチャンネル数を検出する検出手段と、
前記検出手段にて検出されたテレビ放送信号のチャンネル数が零であるとき、前記増幅手段の増幅動作を停止させる増幅動作停止手段と、
を備えたことを特徴とする。
【発明の効果】
【００１０】
本発明のテレビ放送再送信システムにおいては、放送信号処理装置が、テレビ放送電波を受信する受信アンテナからの受信信号を、テレビ放送のチャンネル毎に信号処理し、その信号処理後の各チャンネルのテレビ放送信号を混合して、伝送線に出力し、送信装置が、放送信号処理装置から伝送線を介して伝送されてきたテレビ放送信号を、テレビ放送電波が届かない難視聴地域に向けて、送信アンテナから再送信させる。
【００１１】
また、放送信号処理装置には、信号処理して伝送線に出力するテレビ放送信号のチャンネル数を表す波数信号を生成し、その波数信号を、信号処理後の各チャンネルのテレビ放送信号と共に前記伝送線に出力させる波数信号生成手段が設けられ、送信装置には、増幅手段、検出手段、及び増幅動作停止手段が設けられている。
【００１２】
そして、増幅装置において、検出手段は、放送信号処理装置から伝送線を介して伝送されてきた波数信号から、放送信号処理装置が出力したテレビ放送信号のチャンネル数を検出し、検出手段にて検出されたテレビ放送信号のチャンネル数が零であるとき、増幅動作停止手段が、増幅手段の増幅動作を停止させる。
【００１３】
従って、本発明のテレビ放送再送信システムによれば、放送信号処理装置側では、周囲のノイズ信号の影響を受けることなく、実際に信号処理したテレビ放送信号のチャンネル数を表す波数信号を生成することができ、増幅装置側では、その波数信号に基づき、再送信対象となるテレビ放送全ての停波を検知して、増幅手段の増幅動作を停止させることができる。
【００１４】
よって、本発明のテレビ放送再送信システムによれば、送信装置にて、ノイズ信号が所定レベルまで増幅されて、送信アンテナからノイズ（換言すれば妨害波）が送信されるのを、より確実に防止することができる。
【図面の簡単な説明】
【００１５】
【図１】実施形態のテレビ放送再送信システム全体の構成を表す概略構成図である。
【図２】ヘッドエンドの構成を表すブロック図である。
【図３】送信装置の構成を表すブロック図である。
【図４】送信装置の制御回路で実行される波数監視処理を表すフローチャートである。
【発明を実施するための形態】
【００１６】
以下に、本発明の実施形態を図面と共に説明する。
本実施形態のテレビ放送再送信システムは、テレビ放送局からＵＨＦ帯で配信されるテレビ放送電波が地形や建造物等にて遮断され、その放送電波を直接受信することのできない難視聴地域に向けて、テレビ放送電波を再送信するためのものである。
【００１７】
図１に示すように、テレビ放送再送信システムは、放送局からのテレビ放送電波（以下単に放送電波という）を受信可能な場所に設置された受信アンテナ２と、受信アンテナ２からの受信信号を処理して、伝送線である光ケーブル６に送出する、放送信号処理装置としてのヘッドエンド４と、ヘッドエンド４から光ケーブル６を介して伝送されてきた光信号を複数系統に分配して、再送信対象となる難視聴地域に設置された送信装置１０へ出力する光カプラ８と、を備える。
【００１８】
なお、光カプラ８から送信装置１０へ受信信号を伝送する伝送経路は、光ケーブルであっても、同軸ケーブルであっても良いが、本実施形態では、送信装置１０には、光ケーブルを介して受信信号（光信号）を伝送するものとする。
【００１９】
次に、ヘッドエンド４には、図２に示すように、受信アンテナ２からの受信信号を増幅する増幅回路１２と、その増幅された受信信号を、端末側に伝送すべきテレビ放送信号のチャンネル数（波数）に分配する分配回路１４と、この分配回路１４にて分配された受信信号の中から、端末側に伝送すべき放送チャンネルのテレビ放送信号を各々抽出し、その抽出したテレビ放送信号を処理して、その信号レベルを適正レベルに設定する複数のチャンネルプロセッサ２０と、各チャンネルプロセッサ２０にて信号処理された各放送チャンネルのテレビ放送信号を混合する混合回路１６と、この混合回路１６にて混合されたテレビ放送信号を増幅する増幅回路１８と、が設けられている。
【００２０】
また、各チャンネルプロセッサ２０には、処理対象となる特定放送チャンネルのテレビ放送信号を選択的に通過させるためのバンドパスフィルタ（以下、ＢＰＦと記載する）２２と、ＢＰＦ２２を通過したテレビ放送信号を処理するプロセッサユニット２４と、ＢＰＦ２２を通過したテレビ放送信号（受信信号）を、分岐回路２６を介して取り込み、その信号レベルから、テレビ放送信号の有無（つまり、特定放送チャンネルのテレビ放送がなされているか停波しているか）を判定し、停波している場合にはプロセッサユニット２４の動作を停止させる停波判定部２８と、が備えられている。
【００２１】
このため、各チャンネルプロセッサ２０は、分配回路１４を介して入力される受信信号の中に処理対象となる特定放送チャンネルのテレビ放送信号が含まれている場合には、そのテレビ放送信号を処理して出力するが、受信信号に処理対象となるテレビ放送信号が含まれていない場合（つまり停波している場合）には、所謂スケルチ機能によって、自ら動作を停止して、テレビ放送信号以外の不要信号を出力するのを防止する。
【００２２】
そして、ヘッドエンド４には、各チャンネルプロセッサ２０の停波判定部２８から判定結果を取り込むことで、ヘッドエンド４から実際に出力するテレビ放送信号のチャンネル数（波数）を検出し、その検出した波数を表す波数データを生成する波数データ生成回路３０が設けられている。
【００２３】
また、波数データ生成回路３０にて生成された波数データは、ＦＳＫ変調回路３２に入力され、発振器３４にて生成された高周波信号をＦＳＫ変調することにより、波数信号を生成するのに使用される。
【００２４】
なお、発振器３４は、当該ヘッドエンド４から出力されるテレビ放送信号とは周波数が異なる高周波信号（より具体的には、受信アンテナ２にて受信可能なＵＨＦのテレビ放送周波数帯域よりも低い周波数の高周波信号）を、波数データ伝送用の搬送波として発生するものである。
【００２５】
そして、ＦＳＫ変調回路３２で生成された波数信号は、混合回路３６に入力されて、増幅回路１８にて増幅された各放送チャンネルのテレビ放送信号と混合される。また、この混合回路３６にて混合された各信号は、増幅回路３７にて更に増幅され、電気／光変換器（所謂Ｅ／Ｏ変換器）３８にて光信号に変換された後、光ケーブル６へ送出される。
【００２６】
次に、送信装置１０には、図３に示すように、ヘッドエンド４から光カプラ８を介して伝送されてきた光信号を電気信号（つまり、テレビ放送信号と波数信号とからなる受信信号）に変換する光／電気変換器（所謂Ｏ／Ｅ変換器）４０と、このＯ／Ｅ変換器４０にて電気信号に変換された受信信号を増幅する増幅回路４２と、この増幅回路４２にて増幅された受信信号を減衰させる可変減衰器４４と、可変減衰器４４にて減衰された受信信号を増幅回路４６と、増幅回路４６により増幅された受信信号のうち、各放送チャンネルのテレビ放送信号を通過させるハイパスフィルタ（以下、ＨＰＦと記載する）４８とが設けられており、ＨＰＦ４８を通過した各放送チャンネルのテレビ放送信号が、再送信信号として、送信アンテナ９に出力される。
【００２７】
つまり、送信装置１０は、信号入力側の増幅回路４２と、可変減衰器４４と、信号出力側の増幅回路４６とにより、利得調整可能な増幅装置として構成されており、可変減衰器４４を用いた利得調整によって、送信アンテナ９へ出力されるテレビ放送信号の信号レベル（換言すれば送信アンテナ９からのテレビ放送信号の送信電力）を設定できるようにされている。
【００２８】
また、送信装置１０には、増幅回路４６により増幅された受信信号のうち、各放送チャンネルのテレビ放送信号よりも周波数が低い波数信号を通過させるローパスフィルタ（以下、ＬＰＦと記載する）５０が設けられている。
【００２９】
そして、ＬＰＦ５０を通過した波数信号は、ノイズ成分を除去するためのＢＰＦ５２を介して、ＦＳＫ復調回路５４に入力され、ＦＳＫ復調回路５４にて、波数データが復元される。また、このＦＳＫ復調回路５４にて復元された波数データは、マイクロコンピュータからなる制御回路６０に入力される。
【００３０】
また、送信装置１０には、ＨＰＦ４８を通過した再送信信号の一部を分岐させる分岐回路５６と、この分岐回路５６にて分岐された再送信信号を全周波数帯域で検波することにより、再送信信号全放送チャンネル分の総合電力を検出する検波回路５８が設けられており、この検波回路５８から出力される検波電圧は、利得調整回路６２に入力される。
【００３１】
なお、利得調整回路６２は、検波回路５８にて検出された総合電力（検波電圧）が、制御回路６０にて設定された目標電力（目標検波電圧）となるよう、可変減衰器４４の減衰量（すなわち、当該送信装置１０におけるテレビ放送信号の増幅利得）を制御するものである。
【００３２】
また、送信装置１０には、制御回路６０からの指令に従い、増幅回路４２、４６への電源供給を遮断することで、増幅回路４２、４６の増幅動作を停止させる、電源遮断回路６４も設けられている。
【００３３】
そして、制御回路６０は、図４に示す波数監視処理を実行することにより、目標電力（目標検波電圧）を設定すると共に、必要に応じて、電源遮断回路６４を駆動する。
すなわち、図４に示す波数監視処理は、制御回路６０がメインルーチンの一つとしてくり返し実行する処理であり、この処理が開始されると、まずＳ１１０（Ｓはステップを表す）にて、ＦＳＫ復調回路５４から波数データを取り込むことで、送信アンテナ９から再送信させるテレビ放送信号の波数（チャンネル数）を取得する。
【００３４】
次に、Ｓ１２０では、Ｓ１１０にて取得した波数が「０」であるか否かを判断することにより、送信アンテナ９から再送信させるテレビ放送信号があるか否かを判断し、波数が「０」で、再送信させるテレビ放送信号がなければ、Ｓ１３０に移行する。
【００３５】
そして、Ｓ１３０では、電源遮断回路６４を駆動することにより、増幅回路４２、４６の増幅動作を停止させ、再度Ｓ１１０に移行する。
一方、Ｓ１２０にて、波数が「０」ではなく、再送信させるテレビ放送信号があると判断されると、Ｓ１４０に移行する。
【００３６】
そして、Ｓ１４０では、Ｓ１１０にて取得した波数に基づき、再送信信号全放送チャンネル分の目標電力（詳しくは目標検波電圧）を設定し、利得調整回路６２に出力する。
つまり、ヘッドエンド４から伝送されてきたテレビ放送信号のチャンネル数（波数）が多い程、検波回路５８にて検出される再送信信号の総合電力（検波電圧）が大きくなるため、制御回路６０は、Ｓ１４０にて、ＦＳＫ復調回路５４にて復調された波数データに基づき、再送信信号に含まれるテレビ放送信号の波数が多いほど、目標電力（目標検波電圧）が大きくなるように設定する。
【００３７】
また、このように目標電力を設定すると、続くＳ１５０にて、現在、電源遮断回路６４を介して増幅回路４２、４６の増幅動作を停止させているか否か、つまり、送信アンテナ９からのテレビ放送信号の再送信を停止しているか否か、を判断する。
【００３８】
そして、テレビ放送信号の再送信を停止していなければ、そのままＳ１１０に移行し、テレビ放送信号の再送信を停止していれば、Ｓ１６０に移行する。
Ｓ１６０では、電源遮断回路６４の駆動を停止することで、増幅回路４２、４６への電源供給を再開させる。この結果、増幅回路４２、４６が増幅動作を開始し、今まで停止していたテレビ放送信号の再送信が再開されることになる。
【００３９】
そして、Ｓ１６０にて、テレビ放送信号の再送信を開始した後は、再度Ｓ１１０に移行し、上記一連の波数監視処理を実行する。
以上説明したように、本実施形態のテレビ放送再送信システムにおいては、ヘッドエンド４から送信装置１０側に、再送信用のテレビ放送信号が出力されるだけでなく、そのテレビ放送信号の波数を表す波数信号も出力される。
【００４０】
そして、送信装置１０側では、その波数信号からヘッドエンド４が出力したテレビ放送信号の波数を検知し、その波数に応じて、送信アンテナ９から再送信させる全テレビ放送信号の総合電力を制御する。このため、送信アンテナ９からは、各放送チャンネルの放送信号が適正レベルで送信されることになる。
【００４１】
また、波数が「０」であり、送信アンテナ９から再送信するテレビ放送信号がない場合には、電源遮断回路６４を介して増幅回路４２、４６への電源供給を遮断することで、増幅回路４２、４６の増幅動作を停止する。この結果、送信アンテナ９に、周囲のノイズを増幅したノイズ信号が出力されて、送信アンテナ９からノイズ（換言すれば妨害波）が放射されるのを防止できる。
【００４２】
また特に本実施形態では、ヘッドエンド４から送信される波数信号に基づき、再送信するテレビ放送信号の波数を検知し、その波数が「０」であるときに、増幅回路４２、４６の増幅動作を停止させる。このため、ヘッドエンド４から伝送されてきた再送信信号の信号レベルがしきい値以下であるとき増幅回路の増幅動作を停止させる、従来のスケルチ回路に比べて、再送信する全テレビ放送信号が停波したことをより確実に検知することができる。
【００４３】
なお、本実施形態においては、ヘッドエンド４が、本発明の放送信号処理装置に相当し、ヘッドエンド４内の波数データ生成回路３０及びＦＳＫ変調回路３２が、本発明の波数信号生成手段に相当する。
【００４４】
また、送信装置１０に設けられた増幅回路４２、４６が本発明の増幅手段に相当し、ＦＳＫ復調回路５４が、本発明の検出手段に相当し、制御回路６０及び電源遮断回路６４が、本発明の増幅動作停止手段に相当する。
【００４５】
以上、本発明の一実施形態について説明したが、本発明は、上記実施形態に限定されるものではなく、本発明の要旨を逸脱しない範囲内にて、種々の態様をとることができる。
【符号の説明】
【００４６】
２…受信アンテナ、４…ヘッドエンド、６…光ケーブル、８…光カプラ、９…送信アンテナ、１０…送信装置、１２…増幅回路、１４…分配回路、１６…混合回路、１８…増幅回路、２０…チャンネルプロセッサ、２２…ＢＰＦ、２４…プロセッサユニット、２６…分岐回路、２８…停波判定部、３０…波数データ生成回路、３２…ＦＳＫ変調回路、３４…発振器、３６…混合回路、３７…増幅回路、３８…Ｅ／Ｏ変換器、４０…Ｏ／Ｅ変換器、４２…増幅回路、４４…可変減衰器、４６…増幅回路、４８…ＨＰＦ、５０…ＬＰＦ、５２…ＢＰＦ、５４…ＦＳＫ復調回路、５６…分岐回路、５８…検波回路、６０…制御回路、６２…利得調整回路、６４…電源遮断回路。
【図１】
2014165871.tif 000003
【図２】
2014165871.tif 000004
【図３】
2014165871.tif 000005
【図４】
2014165871.tif 000006